(57)【要約】【課題】主に目（視覚）及び指（操作）を駆使して利用するメール、カメラ撮影、テレビ、インターネットなどの機能を歩きながら携帯端末装置を使用する場合には、利用者にとって危険な操作行為と判断し、それらの機能における表示部への表示を抑制できる携帯端末装置を提供する。【解決手段】加速度、角速度、移動速度の情報を検知し、これらの情報を活用して、主に目（視覚）及び指（操作）を駆使し、かつ比較的低速移動で利用しようと判断した場合にのみ、当該機能における表示部への表示を抑止する手段を有する携帯端末装置。【選択図】図１
2014220636.tif 000002
【特許請求の範囲】
【請求項１】
聴覚を主としたアプリケーション及び視覚を主としたアプリケーション、の各機能を実行する携帯端末装置において、
前記携帯端末装置は、
表示部と、中央制御部と、センサー部と、タイマー部と、を有し、
前記中央制御部は、
前記センサー部のセンサー情報を元に前記携帯端末装置が静止、又は移動状態にあるかを判断する手段と、
前記静止／移動を判断する手段にて、前記携帯端末装置が移動、かつ低速度の移動であると判断したとき、前記表示部への前記中央制御部からの情報の表示を非表示状態に制御する手段と、
前記低速の移動状態から静止又は高速移動となったとき、前記タイマー部による非表示状態のタイマー時間のカウントが所定の時間が経過するまでは、前記非表示状態を維持する手段と、
を有することを特徴とする携帯端末装置。
【請求項２】
請求項１に記載された携帯端末装置において、
前記非表示状態とは、携帯端末装置が電源ＯＮであって、バッテリー消費を抑圧するブルーバック画面表示である
ことを特徴とする携帯端末装置。
【請求項３】
聴覚を主としたアプリケーション及び視覚を主としたアプリケーション、の各機能を実行する携帯端末装置において、
前記携帯端末装置は、
表示部と、中央制御部と、センサー部と、を有し、
前記表示部は、前記センサー部のセンサー機能により、前記中央制御部から前記表示部への情報表示を制御する表示制御部、を有し、
前記中央制御部は、
前記センサー部のセンサー情報を元に前記携帯端末装置が静止、又は移動状態にあるかを判断する手段と、
前記静止／移動を判断する手段にて、前記携帯端末装置が移動、かつ低速度の移動であると判断したとき、前記センサー部によるセンサー機能を働かせ、前記表示部への前記中央制御部からの情報の表示を非表示状態に制御する手段と、
を有する
ことを特徴とする携帯端末装置。
【請求項４】
請求項３に記載された携帯端末装置において、
前記非表示状態とは、携帯端末装置が電源ＯＮであって、バッテリー消費を抑圧する表示モードである
ことを特徴とする携帯端末装置。
【請求項５】
請求項３に記載された携帯端末装置において、
前記携帯端末装置は、更に
タイマー部を有し、
前記中央制御部は、更に
前記低速の移動状態から静止又は高速移動となったとき、前記タイマー部による非表示状態のタイマー時間のカウントが所定の時間が経過するまでは、前記非表示状態を維持する手段、
を有することを特徴とする携帯端末装置。
【発明の詳細な説明】
【技術分野】
【０００１】
本発明は、携帯電話、スマートフォンなどの多機能モバイル機器（以下、携帯端末装置と言う）に関する。
【背景技術】
【０００２】
本技術分野の背景技術として、特開２０１３−２６７７５号公報（特許文献１）がある。この公報には、「画像を撮影する撮像手段と、振動を発生する振動発生手段と、を備えた端末装置において、該振動発生手段による振動が発生している期間中、該加速度検出手段により検出された加速度から加速度の平均値を計算し、該撮像手段により撮像された画像を、該平均値に基づいて傾斜補正し、該傾斜補正された画像を送信する」と記載されている（要約書参照）。
【０００３】
また、特開２０１３−３２９３２号公報（特許文献２）がある。この公報には、「携帯端末のユーザが静止中、歩行中、走行中、車両移動中のいずれの状態にあるかを推定するユーザ状態推定部と、実行中の動作プログラムの種別、例えば、動画再生、ナビゲーション、ゲームを判別する動作プログラム判別部と、ユーザ状態の情報と動作プログラムの種別情報に応じて、携帯端末の表示内容を決定する表示内容決定部とを備え、ユーザの状態と動作プログラムに応じて、携帯端末の表示内容を含む動作の制限を行う携帯端末」をもって「利用者の利便性を考慮した上で、携帯端末の利用者が画面の目視のために、事故や危険な状況になることを自動的に防ぐことが可能な携帯端末」が記載されている。
【先行技術文献】
【特許文献】
【０００４】
【特許文献１】特開２０１３−２６７７５号公報
【特許文献２】特開２０１３−３２９３２号公報
【発明の概要】
【発明が解決しようとする課題】
【０００５】
前記特許文献１には、加速度検出情報を利用して画像を補正する携帯端末の仕組みが記載されている。また、前記携帯端末装置は、６軸センサーの各情報を活用して、画像補正、所謂手振れによる画像補正することの仕組みについては記載されている。
【０００６】
しかし、特許文献１の携帯端末装置は、携帯端末の利用状況に応じて、機能を機械的に制限、例えばメールやインターネットなどのアプリケーション機能における表示を抑止し、利用者の安全性まで考慮されていない。
【０００７】
携帯端末装置は、一般的に、通話機能を有する電話、音楽再生機能を有するプレーヤー、テレビ放送を受信する機能を有するテレビ、被写体を撮影し、表示するカメラ機能、ネットワークを介してメールの送受信や所望の情報を受信し、表示する機能を有するメールやインターネット、等の複数の機能を実現するアプリケーションを搭載している。
【０００８】
これらのアプリケーションを大別すると、主に口（発声）や耳（聴覚）に頼った電話（通話）や音楽（再生）などの機能と、主に目（視覚）及び指（操作）を駆使して利用するメール、カメラ撮影、テレビ、インターネットなどの機能に分けることができる。
【０００９】
そして、これらの機能は、何時でも何処でも気楽に使えるメリットがある。つまり、歩道や各種通路、階段等、歩きながら周りに気を使うことなく、使用することができる。その反面、歩きながら携帯端末装置を使用すると、他の人や自転車との衝突や、赤信号での横断歩道を横断したり、階段の踏み外し等、非常に危険である。これは、例えば、口と耳だけを使った通話機能のみから、目と指を同時に使うメールやインターネットによる閲覧などの機能が普及したことに基因する。
【００１０】
係る課題に鑑み、特許文献２には、動画視聴を通常再生中、或いはナビゲーションを通常動作中、ユーザ状態に応じて、例えば、静止や高速の車両移動状態から低速の歩行状態になったとき、動画視聴やナビゲーションのアプリケーションを一時停止して映像非表示や非表示入力不可とし、また静止や高速の車両移動状態に戻ったとき、通常再生や通常動作に戻るように制御する仕組みについて記載されている。
【００１１】
しかし、特許文献２の携帯端末は、動画視聴、ナビゲーション、ゲームなどのアプリケーションを制御するものであることから、アプリケーション毎に制御プログラムを組み込む必要があり、コスト的に課題がある。ここで、携帯端末のＯＳをもって規制することも考えられるが、この場合、例えば、低速走行中でも安全な電話などのアプリケーションも操作が規制されてしまうような新たな課題が生じる。また、例えば、一時的な静止状態にあるような場合でも、ユーザが安全な状態にいるとは限らない。このような状態において、通常再生や通常動作による表示画面に戻ってしまうと、安全性の面で十分とは言えない。
【００１２】
そこで、本発明は、各アプリケーション機能の利用形態に着目し、主に目（視覚）及び指（操作）を駆使して利用するメール、カメラ撮影、テレビ、インターネットなどの機能を比較的低速移動しながら携帯端末装置を使用する場合には、利用者にとって危険な操作行為と判断し、それらの機能を実現するアプリケーション自身には特に規制することなく、例えば、単に、映像などの表示部への信号路を断つなどして、表示部の表示画面が非表示状態、例えばブルーバック状態となるように制御し、また、静止や高速の車両移動状態に戻ったときには、当該状態が安全な状態にあるか否かを新たに判断し、例えば当該状態にある時間をタイマーで計測（７〜１５秒）し、当該計測時間から利用者が安全性な状態にあると判断できた場合、通常再生や通常動作における表示画面に戻るようにできる携帯端末装置を提供する。
【課題を解決するための手段】
【００１３】
上記課題を解決するために、本発明は、加速度、角速度、移動速度の情報を検知し、これらの情報を活用して、主に目（視覚）及び指（操作）を駆使し、また比較的低速で移動しながら利用していると判断した場合、表示部への信号供給を抑止し、かつ前記低速の移動状態から静止や高速の車両移動状態に戻ったとき、その状態の時間を計測し、当該時間が予め設定したタイマー時間をカウントしたとき、安全な状態にあると判断し、前記表示部への信号供給の抑止を解除する手段を有する。
【００１４】
例えば、本発明の携帯端末装置は、聴覚を主としたアプリケーション及び視覚を主としたアプリケーション、の各機能を実行する携帯端末装置において、前記携帯端末装置は、表示部と、中央制御部と、センサー部と、タイマー部と、を有し、前記中央制御部は、前記センサー部のセンサー情報を元に前記携帯端末装置が静止、又は移動状態にあるかを判断する手段と、前記静止／移動を判断する手段にて、前記携帯端末装置が移動、かつ低速度の移動であると判断したとき、前記表示部への前記中央制御部からの情報の表示を非表示状態に制御する手段と、前記低速の移動状態から静止又は高速移動なったとき、前記タイマー部による非表示状態のタイマー時間のカウントが所定の時間が経過するまでは、前記非表示状態を維持する手段と、を有することを特徴とする。
【００１５】
前記非表示状態とは、携帯端末装置が電源ＯＮであって、バッテリー消費を抑圧するブルーバック画面表示であることを特徴とする。
【００１６】
また、本発明の携帯端末装置は、聴覚を主としたアプリケーション及び視覚を主としたアプリケーション、の各機能を実行する携帯端末装置において、前記携帯端末装置は、表示部と、中央制御部と、センサー部と、を有し、前記表示部は、前記センサー部のセンサー機能により、前記中央制御部から前記表示部への情報表示を制御する表示制御部、を有し、前記中央制御部は、前記センサー部のセンサー情報を元に前記携帯端末装置が静止、又は移動状態にあるかを判断する手段と、前記静止／移動を判断する手段にて、前記携帯端末装置が移動、かつ低速度の移動であると判断したとき、前記センサー部によるセンサー機能を働かせ、前記表示部への前記中央制御部からの情報の表示を非表示状態に制御する手段と、を有することを特徴とする。
【００１７】
前記非表示状態とは、携帯端末装置が電源ＯＮであって、バッテリー消費を抑圧するモードであることを特徴とする。
【００１８】
前記携帯端末装置は、更にタイマー部を有し、前記中央制御部は、更に前記低速の移動状態から静止又は高速移動なったとき、前記タイマー部による非表示状態のタイマー時間のカウントが所定の時間が経過するまでは、前記非表示状態を維持する手段、を有する
ことを特徴とする。
【発明の効果】
【００１９】
本発明によれば、簡単な構成により、必要以上な利用制限をかけることなく、携帯端末装置の利用者の未然事故防止を図ることができ、安全性を図ることができる。
【図面の簡単な説明】
【００２０】
【図１】本発明の一実施例を示す携帯端末装置の構成を示すブロック図である。
【図２】図１の中央制御部による機能制御処理フローを示すフローチャートである。
【図３】本発明の他の実施例を示す携帯端末装置の構成を示すブロック図である。
【図４】図３の中央制御部による機能制御処理フローを示すフローチャートである。
【発明を実施するための形態】
【００２１】
以下、本実施例を、図面を用いて説明する。本実施形態では、携帯端末装置として、携帯、スマートフォン、などのモバイル機器、を想定している。
【実施例１】
【００２２】
図１は、本発明の携帯端末装置の一構成を示すブロック図である。本例は、ＯＳによる非表示画面コントロール（例えば、ブルーバック画面コントロール）であって、携帯端末装置の利用者が安全な場所に移動する間は、表示部の表示を抑止するものである。また、一度、歩き・走りを検知すると、静止状態を検知してからタイマー部による設定タイマー時間だけ静止状態を保っていないと通常の表示状態に戻らないように制御するものである。
【００２３】
同図において、携帯端末装置１０は、無線通信部１０１、音声信号処理部１０２、画像・映像信号処理部１０３、表示部１０４、操作部１０５、カメラ部１０６、記憶部１０７、センサー部１０８、中央制御部（ＣＰＵ）１００、電源部１０９、タイマー部１１０、を有する。
【００２４】
無線通信部１０１は、アンテナ１０１１にて受信した音声や映像信号を、中央制御部１００を介して音声信号処理部１０２や画像・映像信号処理部１０３に供給し、また当該音声信号処理部１０２や画像・映像信号処理部１０３の音声や映像信号を、中央制御部１００を介してアンテナ１０１１に供給する。
【００２５】
音声信号処理部１０２は、音声信号に対して所望の処理を行う。画像・映像信号処理部１０３は、画像や映像信号に対して所望の処理を行う。
【００２６】
中央制御部（ＣＰＵ）１００は、電源部１０９からの電力を受け、記憶部１０７のプログラム記憶部１０７２に記憶されたプログラムに従って携帯端末装置の各部の動作を制御する。
【００２７】
また、中央制御部１００は、センサー部１０８の加速度センサー１０８１、角速度センサー１０８２、地磁気センサー１０８３、の各センサー情報を受け、各種アプリケーションの中、操作上、安全性に疑問があると判定したアプリケーションに限っては、例えば目や指を利用し、視覚に頼って操作するメールやインターネットなどのアプリケーション機能に対しては、稼働中であっても、強制的に表示部１０４への情報表示を抑止する機能を有する。詳細は、後述する。
【００２８】
つまり、携帯端末装置１０の電源は、ＯＮ状態に維持し、かつ携帯端末装置１０のバッテリーを極力消費しないような省電力モードとなるように制御する方法であれば、表示部の表示を抑止する非表示制御によるブルーバック画面とする必要はなく、それ以外であってもよい。
【００２９】
表示部１０４は、カメラ部１０６で撮影した画像や無線通信部１０１で受信した映像の信号、メールやＷＥＢサイトの内容などを表示するものである。
【００３０】
タイマー部１１０は、中央制御部１００にて、一度、表示部１０４の表示を抑止したあとは、歩きや走りなどの低速移動状態から静止や車などの高速移動状態に戻ったと判断しても、その静止状態が本当に安全な場所かを判断する上で、例えば静止状態を検知してから所定の時間までをカウントするタイマー時間を設定する。このタイマー時間のカウントにより、当該カウント時間までは、操作上危険な場所にいる可能性が高いと判断し、その間は、中央制御部１００による表示部１０４の表示抑止を維持する。換言すれば、一度、表示抑止した後は、その静止状態を所定の時間、維持していないと本当に安全な場所に移動していないと判断し、表示抑止（ブルーバック画面（非表示）状態）を解除しないようにする。つまり、安全な場所での静止状態でないと通常の表示状態の表示画面に戻さないようにしたものである。
【００３１】
ここで、所定の時間とは、例えば人がイライラしないぎりぎり待てる時間（７〜１５秒）であり、安全な場所とは、人が流れている通路等でも、流れを妨げることがないような場所、例えば、道端に避ける等して立ち止まっても人がぶつかってこないような場所である。
【００３２】
操作部１０６は、各アプリケーション機能を実行する電源スイッチ、操作ボタン、キーなどを有する。
【００３３】
記憶部１０７は、アプリケーション情報記憶部１０７１、プログラム記憶部１０７２、を有する。
【００３４】
アプリケーション情報記憶部１０７１は、電話やメール、インターネットなどで必要とされる氏名、電話番号、メールアドレス、メール内容、音声データ、ＷＥＢサイトのＵＲＬ、などの各種情報を記憶する。
【００３５】
プログラム記憶部１０７２は、上述した各種アプリケーション機能、つまり電話、テレビ、音楽プレーヤー、カメラ、メール、インターネット、などの機能を実行する各種アプリケーションを格納する。
【００３６】
また、各種アプリケーションの中、操作上、安全性に疑問があると判定したアプリケーション、例えば視覚や指操作に頼るメールやインターネットなどのアプリケーション機能における情報の表示部１０４への表示を抑止するプログラム（ＯＳ）を格納する。
【００３７】
センサー部１０８は、例えば、加速度センサー１０８１、角速度センサー１０８２、地磁気センサー１０８３、を有する。本実施例では、各センサーとして、端末装置の前後、左右、上下の３方向を検出するものを前提として説明するが、移動速度が検出可能であれば、３軸方向を検出するものに特定する必要はなく、例えば、その中の２軸方向の検出をもって、端末装置の移動速度などを検出するものであってもよい。
【００３８】
加速度センサー１０８１は、携帯端末装置（デバイス）１０の加速度を検出するハードウェアであり、当該装置の前後、左右、上下の３方向を検出する。つまり、携帯端末装置１０の移動方向、向き、回転、３軸（Ｘ，Ｙ，Ｚ）を検出する。
【００３９】
加速度とは、「単位時間あたりの速度の変化率」のことであり、例えば、電車や自動車が加速したときに進行方向と逆に体が引っ張られ、減速したときに進行方向に引っ張られるといった「力」は、電車の運動速度の変化に伴って、体の運動速度が変化した結果を感じる。携帯端末装置を手に持って移動（歩行、走行）した際も同様に、加速や減速によって携帯端末装置１０に加速度が掛かる。
【００４０】
角速度センサー（ジャイロ・センサー）１０８２は、携帯端末装置１０の回転を検出するためのハードウェアであり、当該装置を中心とした３次元空間のそれぞれの空間軸を中心とした回転の速度を検出する。
なお、上述した各センサーは、周知技術なので、その詳細説明は省略する。
【００４１】
次に、携帯端末装置１０の中央制御部（ＣＰＵ）１００の動作について説明する。携帯端末装置１０における各アプリケーション機能については、周知であるので、その詳細説明は省略する。
【００４２】
図２は、中央制御部（ＣＰＵ）１００の機能制御処理を説明するフローチャートである。
同図において、ステップＳ２０１にてスタートし、ステップＳ２０２にて携帯端末装置の電源がＯＮすると、ステップＳ２０３にて表示部１０４は、ＣＰＵからの情報を表示する画面表示とする。
【００４３】
次いで、ステップＳ２０４にてタイマー部１１０のタイマー機能を停止する。そして、ステップＳ２０３にて携帯端末装置１０が搭載しているアプリケーションの中でアプリケーション機能操作を検知し、その稼働中にあるアプリケーションを特定する。
【００４４】
次に、ステップＳ２０６にて稼働中アプリケーション機能が、聴覚を主とした機能（電話／音楽プレーヤー）操作なのか、視覚を主とした機能（メール／インターネット／カメラ撮影）操作なのかを判断する。つまり、視聴覚機能か否か判断する。
【００４５】
ステップＳ２０６にて、聴覚を主とした機能（電話／音楽プレーヤー）操作、つまり主に口や耳に頼るアプリケーション機能の場合には、ステップＳ２１４に進み、当該ステップにて聴覚を主とする機能、又は静止状態、車、電車で移動していると判断し、表示部１０４の表示をＯＮ又は継続する。
【００４６】
視覚を主とした機能（メール／インターネット／カメラ撮影）、つまり主に目や指操作が必要とされるアプリケーション機能の場合には、ステップＳ２０７に進み、当該ステップにて、センサー部１０８の加速度情報、東西南北情報、角速度情報を受信し、ステップＳ２０８にて携帯端末装置１０が静止状態で使用されているか、移動状態で使用されているのかを判断する。
【００４７】
ステップＳ２０８にて移動状態で使用していると判断した場合には、ステップＳ２０９に進み、当該ステップにて移動速度が所定の基準値を超えているか否か、つまり速い／遅いかを判断する。基準値は、携帯端末装置の利用者が乗り物（電車や自動車）に乗って移動しているか否かの区別が可能な速度、例えば、時速３０ｋｍとする。
【００４８】
ステップＳ２０９にて移動速度が基準値を超えていないと判断した場合（遅い場合）には、利用者が歩いて、又は走って移動していると判断し、ステップＳ２１３にてタイマー部１１０のタイマーをスタートし、歩いて又は走っている状態であることを設定する。
つまり、移動から静止に変わった時点から、タイマーの時間分だけ画面抑止するための時間を測定する。そのため、移動を検出した都度、タイマーをリスタートさせ、リセットする。
【００４９】
次いで、ステップＳ２１５にて視覚を主とするアプリケーション機能及び歩きや走って移動しながら操作している、つまり危険な操作と判断し、表示部１０４をブルーバック画面（非表示）状態とし、中央制御部（ＣＰＵ）１００からの情報が表示できないようにする。
【００５０】
そして、ステップＳ２０５に戻り、ステップＳ２０６、Ｓ２０７、Ｓ２０８、Ｓ２０９、を繰り返す。
このとき、ステップ２０８にて静止状態、またステップＳ２０９にて移動速度が基準値を超えた速い移動速度状態にあると判断した場合には、ステップＳ２１０に進み、タイマースタート中か否か判断し、タイマースタート中にない場合（Ｎｏ）は、ステップＳ２１４に進み、上述した処理を実行する。
【００５１】
ステップＳ２１３におけるタイマースタート中である場合に（Ｙｅｓ）には、ステップＳ２１１にてタイマーカウントし、ステップＳ２１２にてタイマー終了（所定のタイマー時間：７〜１５秒をカウントし終えた）したか否かを判断し、終了の場合（Ｙｅｓ）は、ステップＳ２１４に進み、上述した処理を実行する。タイマー終了でない場合（Ｎｏ）は、ステップＳ２０７に戻り、上述した処理を繰り返す
【実施例２】
【００５２】
図３は、本発明の他の実施例を示す携帯端末装置の構成を示すブロック図である。本例は、ハードウェアによる非表示画面コントロール（例えば、ブルーバック画面コントロール）であって、表示部の画面表示抑止をセンサー部からの歩き・走りによる低速移動を検知し、表示制御部をもって、携帯端末装置の利用者が安全な場所に移動する間は、表示部の表示を抑止するものである。
【００５３】
実施例１では、中央制御部（ＣＰＵ）１００をもって、センサー部１０８のセンサー情報、つまり加速度センサー１０８１、角速度センサー（ジャイロ・センサー）１０８２、地磁気センサー１０８３、の各情報を受け、静止状態にあるか、移動状態にあるかを判断し、聴覚を主とする機能、又は静止状態、車、電車で移動していると判断した場合には、表示部１０４の表示をＯＮ又は継続し、視覚を主とするアプリケーション機能及び歩きや走って移動しながら操作していると判断した場合には、表示部１０４を非表示とするものであるのに対し、実施例２は、表示制御部１０４１を設け、中央制御部１００にて、センサー部１０８のセンサー機能を抑止することをもって、表示制御部１０４１を制御し、ＣＰＵ１００からの情報の表示部１０４への表示を抑圧するものである。
【００５４】
同図において、図１と同一部分については同一符号を付し、その説明は省略する。
【００５５】
表示部１０４は、カメラ部１０６で撮影した画像や無線通信部１０１で受信した映像の信号、メールやＷＥＢサイトの内容などを表示するものである。そして、中央制御部１００からの情報の表示部１０４への表示機能を抑止する表示制御部１０４１を有する。
【００５６】
表示制御部１０４１は、センサー部１０８にて、携帯端末装置１０が静止状態で使用していることを検知すると、ＣＰＵ１００からのアプリケーション情報を表示部１０４に供給し、通常とおり表示する。また、静止状態以外を検知すると、非表示、例えばブルーバック画面の表示となるように制御し、ＣＰＵ１００からのアプリケーション情報を表示部１０４にて見えないようにする。
【００５７】
図４は、中央制御部（ＣＰＵ）１００の機能制御処理を説明するフローチャートである。
同図において、ステップＳ２０１にてスタートし、ステップＳ２０２にて携帯端末装置の電源がＯＮすると、ステップＳ２０３にてセンサー部１０８による表示制御部１０４１へのセンサー機能を抑制し、ＣＰＵ１００からの情報が表示部１０４に表示されるようにする。
【００５８】
次いで、ステップＳ２０４にてタイマー部のタイマー機能を停止する。そして、ステップＳ２０３にて携帯端末装置１０が搭載しているアプリケーションの中でアプリケーション機能操作を検知し、その稼働中にあるアプリケーションを特定する。
【００５９】
次に、ステップＳ２０６にて稼働中アプリケーション機能が、聴覚を主とした機能（電話／音楽プレーヤー）操作なのか、視覚を主とした機能（メール／インターネット／カメラ撮影）操作なのかを判断する。つまり、視聴覚機能を判断する。
【００６０】
ステップＳ２０６にて、聴覚を主とした機能（電話／音楽プレーヤー）操作、つまり主に口や耳に頼るアプリケーション機能の場合には、ステップＳ２１４に進み、当該ステップにて聴覚を主とする機能、又は静止状態、車、電車で移動していると判断し、センサー部１０８のセンサー機能を抑止させ、表示制御部１０４１をもって、表示部１０４の画面にＣＰＵ１００からの情報を表示するように制御する。
【００６１】
視覚を主とした機能（メール／インターネット／カメラ撮影）、つまり主に目や指操作が必要とされるアプリケーション機能の場合には、ステップＳ２０７に進み、当該ステップにて、センサー部１０８のセンサー情報を入力し、ステップＳ２０８にて携帯端末装置１０が静止状態で使用されているか、移動状態で使用されているのかを判断する。
【００６２】
ステップＳ２０８にて移動状態で使用していると判断した場合には、ステップＳ２０９に進み、当該ステップにて移動速度が所定の基準値を超えているか否か、つまり速い移動速度／遅い移動速度かを判断する。基準値は、携帯端末装置の利用者が乗り物（電車や自動車）に乗って移動しているか否かの区別が可能な速度、例えば、時速３０ｋｍとする。
【００６３】
ステップＳ２０９にて移動速度が基準値を超えていないと判断した場合（遅い速度移動の場合）には、利用者が歩いて、又は走って移動していると判断し、ステップＳ２１３にてタイマー部１１０のタイマーをスタートし、ステップＳ２１５にて視覚を主とするアプリケーション機能及び歩きや走って移動しながら操作（安全上問題ある操作）していると判断し、センサー部のセンサー機能を働かせ、表示制御部１０４１をもって、表示部１０４の画面を非表示、例えば、ブルーバック画面表示となるように制御する。
【００６４】
ステップＳ２０９にて移動速度が基準値を超えていると判断した場合（速い速度移動の場合）には、乗り物で移動していると判断し、ステップＳ２１０に進み、タイマースタート中か否か判断し、タイマースタート中にない場合（Ｎｏ）は、ステップＳ２１４に進み、上述した処理を実行する。
【００６５】
タイマースタート中である場合（Ｙｅｓ）には、ステップＳ２１１にて、タイマーカウントする。このタイマーカウントは、例えば、一度遅い速度移動状態に遷移し、当該状態から静止状態に戻ったとき、即画面表示するのではなく、安全な操作状態にあることが確保するに足りる時間、例えば、７秒〜１５秒とする。ステップＳ２１２にてタイマーカウントが終了したか否かを判断し、タイマー終了でない場合（Ｎｏ）は、ステップＳ２００７に戻り、上述した処理を繰り返す。終了の場合（Ｙｅｓ）は、ステップＳ２１４に進み、上述した処理を実行する。
【００６６】
上述した実施例によれば、携帯端末装置のＯＳ側に各アプリケーションに基づく情報の表示部への表示を抑止する制御機能を持たせることができ、アプリケーション毎に対応する必要はなく、効率的である。また、当該表示抑制を安全な場所に移動する間は、タイマーをもって維持することにより、安全性をより確保することができる。
【００６７】
また、表示部の表示機能を制御する方法によれば、携帯端末装置のＯＳ側で対応可能であることから、アプリケーションに依存することなく、如何なるアプリケーションに対しても対応可能であり、ユーザ側での機能改変が不可能であり、安全性の担保が確保できる。つまり、上述した特許文献２に示す如く、アプリケーション毎に対応する必要がない。また、表示制御部を設ける方法によれば、切り替え速度が速い。
【００６８】
また、上述した実施例のように、ステップＳ２１１にて、タイマーカウントし、ステップＳ２１２にてタイマーが終了するまでは、例え、静止状態に復帰しても非表示のブルーバック画面状態を通常の表示状態に戻さないようにすることによって、「直に見ることができない」状態を維持することができ、その結果としてより安全な携帯端末装置を提供することができる。
【００６９】
なお、本発明は上述した実施例に限定されるものではなく、様々な変形例が含まれる。例えば、上述した実施例は本発明を分かりやすく説明するために詳細に説明したものであり、必ずしも説明した全ての構成を備えるものに限定されるものではない。また、上記の各構成、機能、処理部、処理手段等は、それらの一部又は全部を、例えば集積回路で設計する等によりハードウェアで実現してもよい。また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００７０】
１０    携帯端末装置
１００  中央制御部（ＣＰＵ）
１０１  無線通信部
１０２  音声信号処理部
１０３  画像・映像信号処理部
１０４  表示部
１０４１  表示制御部
１０５  操作部
１０６  カメラ部
１０７  記憶部
１０７２  プログラム記憶部
１０８  センサー部
１０８１  加速度センサー
１０８２  角速度センサー（ジャイロ・センサー）
１０８３  地磁気センサー
１０９  電源部
１１０  タイマー部
【図１】
2014220636.tif 000003
【図２】
2014220636.tif 000004
【図３】
2014220636.tif 000005
【図４】
2014220636.tif 000006